(57)【要約】【課題】オートスキャン中でも放送映像をユーザが見ることができる放送受信装置を提供する。【解決手段】第１チューナと、第２チューナと、前記第１チューナを選局制御して放送信号を探索する探索部と、前記探索部による探索継続中において、既に探索された放送信号のチャンネルを前記第２チューナに選局させる選局制御部と、を備える放送受信装置としている。【選択図】図１
2015035651.tif 000002
【特許請求の範囲】
【請求項１】
第１チューナと、
第２チューナと、
前記第１チューナを選局制御して放送信号を探索する探索部と、
前記探索部による探索継続中において、既に探索された放送信号のチャンネルを前記第２チューナに選局させる選局制御部と、
を備える放送受信装置。
【請求項２】
商用電源から電力を放送受信装置に供給するための電源コードと、
前記電源コードにより供給される電力に重畳された放送信号を抽出する抽出部と、を更に備え、
前記抽出部により抽出された放送信号は、前記第１チューナ及び前記第２チューナに入力され、
前記電源コードが商用電源用コンセントに接続されると、前記探索部は探索を開始する、ことを特徴とする請求項１に記載の放送受信装置。
【請求項３】
アンテナケーブルが接続され、前記アンテナケーブルからの放送信号を前記第１チューナに出力する接続端子と、
前記探索部による探索継続中に前記アンテナケーブルが前記接続端子に接続されたことを検出する接続検出部と、を更に備え、
前記接続検出部により接続が検出されると、前記探索部は、探索するチャンネル範囲の最後のチャンネルまで探索した後、前記探索するチャンネル範囲のうち残りのチャンネルの少なくとも一部を探索する、ことを特徴とする請求項２に記載の放送受信装置。
【請求項４】
前記接続検出部は、前記第１チューナにより受信された放送信号の受信レベルに基づいて前記アンテナケーブルが前記接続端子に接続されたことを検出することを特徴とする請求項３に記載の放送受信装置。
【請求項５】
前記探索部は、前記探索するチャンネル範囲のうち残りのチャンネルの少なくとも一部を探索する際、既に探索されているチャンネルについては探索しないことを特徴とする請求項３又は請求項４に記載の放送受信装置。
【請求項６】
前記接続検出部により検出されると、そのときのチャンネルより前の探索されているチャンネルの受信レベルに基づき、前記探索部は、前記探索するチャンネル範囲のうち残りのチャンネルの少なくとも一部を探索するか否かを切替えることを特徴とする請求項３又は請求項４に記載の放送受信装置。
【請求項７】
前記接続検出部により検出されないまま前記探索部による探索が所定量進んだときに、警告を表示する表示信号を出力する表示出力部を更に備えることを特徴とする請求項３〜請求項６のいずれか１項に記載の放送受信装置。
【請求項８】
前記選局制御部は、探索を開始してから前記探索部によって最初に放送信号が探索されたときに、当該探索された放送信号のチャンネルを前記第２チューナに選局させることを特徴とする請求項１〜請求項７のいずれか１項に記載の放送受信装置。
【発明の詳細な説明】
【技術分野】
【０００１】
本発明は、放送受信装置に関する。
【背景技術】
【０００２】
従来、放送信号を探索する機能である所謂オートスキャン機能を有した放送受信装置が知られている。
【０００３】
例えば、特許文献１には、オートスキャンを行う前のＡＣコード接続時などに、予め全チャンネルにわたって受信チャンネルを変化させながら同期検出できるまでの時間を計測し、この計測時間に基づいて同期検出の待機時間を設定する放送受信装置が開示されている。これにより、実際のオートスキャン時には確実に現実の放送チャンネルを検出可能としつつ、オートスキャンの所要時間を低減することが可能となる。
【先行技術文献】
【特許文献】
【０００４】
【特許文献１】特開平１１−１６８３５７号公報
【発明の概要】
【発明が解決しようとする課題】
【０００５】
しかしながら、従来のオートスキャンを行う放送受信装置では、オートスキャン中は放送映像が表示されず、オートスキャンが完了するまでユーザは放送映像を見ることができなかった。これにより、ユーザの中には、電源をオンしているにも関わらず放送映像が表示されないということで故障していると誤解するユーザもいた。
【０００６】
そこで、本発明は、オートスキャン中でも放送映像をユーザが見ることができる放送受信装置を提供することを目的とする。
【課題を解決するための手段】
【０００７】
上記目的を達成するために本発明の放送受信装置は、
第１チューナと、
第２チューナと、
前記第１チューナを選局制御して放送信号を探索する探索部と、
前記探索部による探索継続中において、既に探索された放送信号のチャンネルを前記第２チューナに選局させる選局制御部と、を備える構成としている。
【０００８】
このような構成によれば、第１チューナを用いたオートスキャン中において、既に探索された放送信号のチャンネルを第２チューナが選局するので、第２チューナの出力に基づいてユーザは放送映像を見ることができる。
【０００９】
また、商用電源から電力を放送受信装置に供給するための電源コードと、
前記電源コードにより供給される電力に重畳された放送信号を抽出する抽出部と、を更に備え、
前記抽出部により抽出された放送信号は、前記第１チューナ及び前記第２チューナに入力され、
前記電源コードが商用電源用コンセントに接続されると、前記探索部は探索を開始する構成としてもよい。
【００１０】
このような構成によれば、電源コードが商用電源用コンセントに接続されると、電力に重畳された放送信号に基づき第１チューナがオートスキャンを行い、オートスキャン中において、探索された放送信号のチャンネルを電力に重畳された放送信号に基づき第２チューナが選局する。従って、ユーザは電源コードを商用電源用コンセントに接続すれば、オートスキャン中でも放送映像を見ることができる。
【００１１】
また、アンテナケーブルが接続され、前記アンテナケーブルからの放送信号を前記第１チューナに出力する接続端子と、
前記探索部による探索継続中に前記アンテナケーブルが前記接続端子に接続されたことを検出する接続検出部と、を更に備え、
前記接続検出部により接続が検出されると、前記探索部は、探索するチャンネル範囲の最後のチャンネルまで探索した後、前記探索するチャンネル範囲のうち残りのチャンネルの少なくとも一部を探索する構成としてもよい。
【００１２】
このような構成によれば、電源コードを商用電源用コンセントに接続してオートスキャンが開始された後、アンテナケーブルを接続端子に接続すると、探索するチャンネル範囲の最後のチャンネルまで探索する。従って、第１チューナに入力される放送信号の信号強度が強い状態で最後のチャンネルまでスキャンできる。また、その後、上記探索するチャンネル範囲のうち残りのチャンネル（接続検出部により接続が検出されたときのチャンネル以前のチャンネル）の少なくとも一部を探索するので、電源コードにより供給される電力に重畳された放送信号によりスキャンしたために探索を逃した放送信号を、放送信号の信号強度が強い状態でのスキャンにより探索することが可能となる。
【００１３】
また、前記接続検出部は、前記第１チューナにより受信された放送信号の受信レベルに基づいて前記アンテナケーブルが前記接続端子に接続されたことを検出する構成としてもよい。
【００１４】
このような構成によれば、スイッチなどの検出用の部品を必要としないので、コストを低減させることができる。
【００１５】
また、前記探索部は、前記探索するチャンネル範囲のうち残りのチャンネルの少なくとも一部を探索する際、既に探索されているチャンネルについては探索しない構成としてもよい。
【００１６】
このような構成によれば、電源コードにより供給される電力に重畳された放送信号によりスキャンされて既に探索できたチャンネルについては、アンテナケーブルを接続して放送信号の信号強度が強い状態では同様に探索されることが予測されるので、探索を省略している。従って、オートスキャンの処理時間を短縮することができる。
【００１７】
また、前記接続検出部により検出されると、そのときのチャンネルより前の探索されているチャンネルの受信レベルに基づき、前記探索部は、前記探索するチャンネル範囲のうち残りのチャンネルの少なくとも一部を探索するか否かを切替える構成としてもよい。
【００１８】
このような構成によれば、電源コードにより供給される電力に重畳された放送信号の信号強度が弱い場合は、放送信号の探索を逃している可能性があるので、前記探索するチャンネル範囲のうち残りのチャンネルの少なくとも一部を探索する。一方、電源コードにより供給される電力に重畳された放送信号の信号強度が強い場合は、探索の信頼性は高いので、前記探索するチャンネル範囲のうち残りのチャンネルの少なくとも一部を探索しない。この場合、オートスキャンの処理時間を短縮できる。
【００１９】
また、前記接続検出部により検出されないまま前記探索部による探索が所定量進んだときに、警告を表示する表示信号を出力する表示出力部を更に備える構成としてもよい。
【００２０】
このような構成によれば、電源コードを商用電源用コンセントに接続した後、アンテナケーブルを接続しないままであると、警告表示が行われる。従って、ユーザにアンテナケーブルを接続するよう促すことができる。
【００２１】
また、前記選局制御部は、探索を開始してから前記探索部によって最初に放送信号が探索されたときに、当該探索された放送信号のチャンネルを前記第２チューナに選局させる構成としてもよい。
【００２２】
このような構成によれば、オートスキャン中に、ユーザはなるべく早くに放送映像を見ることができる。
【発明の効果】
【００２３】
本発明の放送受信装置によると、オートスキャン中でも放送映像をユーザが見ることができる。
【図面の簡単な説明】
【００２４】
【図１】本発明の一実施形態に係るＨＤＤレコーダのブロック構成図である。
【図２】本発明の一実施形態に係るハイパスフィルタを示す図である。
【図３】本発明の第１実施形態に係るオートスキャン処理に関するフローチャートである。
【図４】本発明の第１実施形態に係るオートスキャン処理の具体例を説明するための図である。
【図５】本発明の第１実施形態に係る警告表示の一例を示す図である。
【図６】本発明の第１実施形態の変形例に係るオートスキャン中の表示例を示す図である。
【図７】本発明の第２実施形態に係るオートスキャン処理に関するフローチャートである。
【図８】本発明の第３実施形態に係るオートスキャン処理に関するフローチャートである。
【発明を実施するための形態】
【００２５】
＜第１実施形態＞
以下に本発明の一実施形態について図面を参照して説明する。ここでは、放送受信装置の一例としてＨＤＤ（Hard Disk Drive）レコーダを挙げて説明する。本発明の第１実施形態に係るＨＤＤレコーダのブロック構成図を図１に示す。
【００２６】
図１に示すＨＤＤレコーダ１は、デジタル放送信号を受信可能な第１チューナ１１及び第２チューナ１２と、信号処理部１３と、映像音声出力部１４と、ＯＳＤ（On Screen Display）部１５と、ＨＤＤ記録再生部１６と、制御部１７と、電源部１８と、リモコン受光部１９と、混合部２０を備えている。
【００２７】
また、ＨＤＤレコーダ１は、アンテナ３とＨＤＤレコーダ１を接続するアンテナケーブルＣ１を接続するための接続端子Ｔ１と、テレビ装置２とＨＤＤレコーダ１を接続する映像音声ケーブルＣ２を接続するための接続端子Ｔ２も備えている。
【００２８】
接続端子Ｔ１には、アンテナ３によって受信されたデジタル放送信号がアンテナケーブルＣ１を介して入力される。混合部２０の一つの入力端には接続端子Ｔ１が電気的接続されると共に、別の入力端には電源部１８に設けられるＨＰＦ（ハイパスフィルタ）１８Ａの出力端が接続される。
【００２９】
ＡＣコードＣ３の一端は商用電源用コンセントに接続するためのプラグとなっており、電源部１８は、ＡＣコードＣ３を介して入力される商用交流電力に基づき、制御部１７などのＨＤＤレコーダ１の各部に対して電力を供給する。
【００３０】
ＨＰＦ１８Ａは、例えば図２に示すようなコンデンサＣ１とコイルＬ１から成るＬＣ回路で構成され、ＡＣコードＣ３を介して電源部１８に入力される交流電力に重畳されたデジタル放送信号を抽出して出力する。即ち、ＡＣコードＣ３は、簡易アンテナとしても用いることができる。
【００３１】
混合部２０は、接続端子Ｔ１から入力されるデジタル放送信号とＨＰＦ１８Ａから入力されるデジタル放送信号を混合して混合デジタル放送信号を生成し、生成された混合デジタル放送信号を第１チューナ１１及び第２チューナ１２に出力する。なお、アンテナケーブルＣ１を接続端子Ｔ１に接続せず、ＡＣコードＣ３を商用電源用コンセントに接続した状態では、ＨＰＦ１８Ａから出力されたデジタル放送信号のみに基づく混合デジタル放送信号（実際は混合されていない）が混合部２０から出力される。
【００３２】
第１チューナ１１及び第２チューナ１２はそれぞれ、混合部２０から混合デジタル放送信号を受け取り、デジタル放送信号の選局及び復調を行う。
【００３３】
信号処理部１３は、制御部１７からの指示に基づいて、第１チューナ１１又は第２チューナ１２から受け取った映像音声信号を、ハイビジョン画質（ＨＤ画質）のまま又は標準画質（ＳＤ画質）に変換してから、ＨＤＤ記録再生部１６に送ったり、第１チューナ１１若しくは第２チューナ１２から受け取った映像音声信号又はＨＤＤ記録再生部１６で再生された映像音声信号を映像音声出力部１４に送ったりする。また、信号処理部１３は、第１チューナ１１又は第２チューナ１２の出力信号からＥＰＧ情報を抽出して制御部１７に送ったりもする。
【００３４】
ＯＳＤ部１５は、制御部１７からの指示に基づいて生成したＯＳＤ画像データを映像音声出力部１４に送る。映像音声出力部１４は、信号処理部１３から入力された映像音声信号又はＯＳＤ部１５から入力されたＯＳＤ画像データを接続端子Ｔ２を介して出力する。なお、映像音声出力部１４は、信号処理部１３からの映像にＯＳＤ部１５からのＯＳＤ画像を重畳させる処理も行える。映像音声出力部１４は、例えばＨＤＭＩ（High-Definition Multimedia Interface）インタフェースとして構成してもよい（この場合、映像音声ケーブルＣ２はＨＤＭＩケーブルとなる）。
【００３５】
テレビ装置２は、接続端子Ｔ２及び映像音声ケーブルＣ２を介して映像音声信号を受け取り、映像を表示画面に表示させ、音声をスピーカから発生させる。
【００３６】
ＨＤＤ記録再生部１６は、制御部１７からの指示に基づいて、信号処理部１３から受け取った映像音声信号をハードディスクに記録したり、ハードディスクに記録されている映像音声信号を再生したりする。
【００３７】
リモコン受光部１９は、リモコン装置４から送信されたリモコン赤外線信号を受光して電気信号に変換し、さらにその電気信号から操作コードを抽出して制御部１７に出力する。制御部１７は、例えばマイコンにより構成され、ＨＤＤレコーダ１の各部を制御する。
【００３８】
次に、このような構成であるＨＤＤレコーダ１によるオートスキャン処理について図３に示すフローチャートを用いて説明する。
【００３９】
ＨＤＤレコーダ１を購入したユーザが最初にＨＤＤレコーダ１をセットアップする際に、アンテナケーブルＣ１は接続端子Ｔ１に接続していない状態でまず、ＡＣコードＣ３のプラグをコンセントに接続すると、電源部１８Ａに商用交流電源から交流電力が供給される。これにより、電源部１８から制御部１７へ電源が供給され、制御部１７が起動する。すると、制御部１７は電源部１８を制御してＨＤＤレコーダ１の各部に電源を供給させる。
【００４０】
そして、図３に示すフローチャートが開始される。まずステップＳ１で、制御部１７は、探索するチャンネル範囲の最初のチャンネルを選局するよう第１チューナ１１に指示する。すると、第１チューナ１１は、指示されたチャンネルの選局を行い、同調が可能であるか否かを示す信号を制御部１７へ送り、制御部１７は同調が可能か否かを判定する（ステップＳ２）。
【００４１】
もし同調が可能であると判定した場合は（ステップＳ２のＹ）、ステップＳ３に進み、制御部１７は、選局を行ったチャンネルを記憶部（不図示）に登録し、ステップＳ４に進む。一方、同調が不可能である場合は（ステップＳ２のＮ）、そのままステップＳ４に進む。
【００４２】
ステップＳ４で、制御部１７は、第１チューナ１１の受信したデジタル放送信号の受信レベルが所定の閾値以上であるか否かを判定する。受信レベルを示す信号は、第１チューナ１１から制御部１７へ送られる。
【００４３】
ここで、上記閾値は、アンテナケーブルＣ１が接続端子Ｔ１に接続され、且つＡＣコードＣ３がコンセントに接続された状態で混合部２０から出力される混合デジタル放送信号の受信レベルと、ＡＣコードＣ３をコンセントに接続したのみの状態での混合デジタル放送信号の受信レベルとを区別できる閾値とする。
【００４４】
もし受信レベルが閾値より低い場合は（ステップＳ４のＮ）、ステップＳ５に進み、制御部１７は、探索するチャンネル範囲の全チャンネルを選局したか否かを判定する。もし全チャンネルを選局していない場合は（ステップＳ５のＮ）、ステップＳ６に進み、制御部１７は、次のチャンネルを選局するよう第１チューナ１１に指示し、ステップＳ２に進む。
【００４５】
ステップＳ５で、全チャンネルを選局している場合は（ステップＳ５のＹ）、ステップＳ７に進み、制御部１７は、ＯＳＤ部１５に指示して、後述する警告表示をテレビ装置２に行わせる。
【００４６】
また、ステップＳ４で、受信レベルが閾値以上である場合は（ステップＳ４のＹ）、アンテナケーブルＣ１が接続端子Ｔ１に接続されたとして、ステップＳ８に進む。ステップＳ８で、制御部１７は、最後のチャンネルとして、現在のチャンネルより一つ前のチャンネルを設定する。
【００４７】
次に、ステップＳ９で、制御部１７は、次のチャンネルを選局するよう第１チューナ１１に指示する。すると、第１チューナ１１は、指示されたチャンネルの選局を行い、同調が可能であるか否かを示す信号を制御部１７へ送り、制御部１７は同調が可能か否かを判定する（ステップＳ１０）。
【００４８】
もし同調が可能であると判定した場合は（ステップＳ１０のＹ）、ステップＳ１１に進み、制御部１７は、選局を行ったチャンネルを記憶部（不図示）に登録し、ステップＳ１２に進む。一方、同調が不可能である場合は（ステップＳ１０のＮ）、そのままステップＳ１２に進む。
【００４９】
ステップＳ１２で、制御部１７は、ステップＳ８で設定された最後のチャンネルを選局したか否かを判定する。もし選局していない場合は（ステップＳ１２のＮ）、ステップＳ９に戻り、制御部１７は、次のチャンネルを選局するよう第１チューナ１１に指示する。なお、探索するチャンネル範囲の最後のチャンネル（ステップＳ８で設定された最後のチャンネルとは異なる）まで選局した場合は、ステップＳ９では、最初のチャンネルに戻って選局することとなる。
【００５０】
ステップＳ１２で、最後のチャンネルを選局している場合は（ステップＳ１２のＹ）、オートスキャン処理は完了する（エンド）。
【００５１】
ここで、図３に示すオートスキャン処理について、図４に示す具体例を用いて、より具体的に説明する。
【００５２】
図４において、ＣＨ１〜ＣＨｎは、探索するチャンネル範囲を示している（ＣＨ１が最初のチャンネル、ＣＨｎが最後のチャンネル）。また、図４における○と×は、同調できたか否か、即ちチャンネルが登録されたか否かを示す。そして、図４の左側の○と×の列が実線矢印のオートスキャンに対応し、右側の○と×の列が破線矢印のオートスキャンに対応する。
【００５３】
まずＡＣコードＣ３をコンセントに接続した状態で、図３のフローチャートが開始され（図４の実線矢印のスキャンが開始）、最初のチャンネルＣＨ１を選局指示されると（ステップＳ１）、同調が不可能であった（ステップＳ２のＮ）。同調が不可能である場合は、選局チャンネルのデジタル放送信号がそもそも存在しないか、又は存在してもＡＣコードＣ３に重畳されたデジタル放送信号であるので受信レベルが弱いことが考えられる。
【００５４】
この場合、受信レベルが閾値より低くなるので（ステップＳ４のＮ）、ステップＳ５及びＳ６へ進み、次のチャンネルＣＨ２を選局指示される。以降、チャンネルＣＨ２、及びＣＨ３では同調が不可能であり、チャンネルＣＨ４については同調が可能であった（ステップＳ２のＹ）。そして、チャンネルＣＨ４は登録される（ステップＳ３）。同調は可能であるが、受信レベルは閾値より低くなるので、ステップＳ５及びＳ６へ進む。
【００５５】
以降処理が進み、チャンネルＣＨｍ−１が選局指示されて同調が不可能であり、ステップＳ６で、次のチャンネルとしてＣＨｍが選局指示される。ここで、アンテナケーブルＣ１が接続端子Ｔ１に接続され、チャンネルＣＨｍのデジタル放送信号が存在したので、同調が可能となり（ステップＳ２のＹ）、チャンネルＣＨｍが登録される（ステップＳ３）。
【００５６】
ここではアンテナケーブルＣ１が接続されているので、受信レベルは大きくなり閾値以上となり（ステップＳ４のＹ）、最後のチャンネルとして、現在のチャンネルであるＣＨｍより一つ前のチャンネルであるＣＨｍ−１を設定される（ステップＳ８）。
【００５７】
そして、次のチャンネルＣＨｍ＋１を選局指示され（ステップＳ９）、同調可能であったので（ステップＳ１０のＹ）、チャンネルＣＨｍ＋１が登録される（ステップＳ１１）。その後、ステップＳ９へ戻る。
【００５８】
以降処理が進み、探索するチャンネル範囲の最後のチャンネルであるチャンネルＣＨｎを選局指示され（ステップＳ９）、同調は不可能であった。その後、ステップＳ９へ戻り、次のチャンネルとして最初のチャンネルＣＨ１が選局指示される（図４の破線矢印の開始）。
【００５９】
以降、チャンネルＣＨ１では同調可能、ＣＨ２では同調不可能、ＣＨ３及びＣＨ４では同調可能となる。
【００６０】
そして、処理が進み、ステップＳ９で、チャンネルＣＨｍ−１を選局指示され、同調が不可能であった。そして、ステップＳ１２で、最後のチャンネルＣＨｍ−１を選局済であるので（ステップＳ１２のＹ）、処理は完了する。
【００６１】
以上のように、図４の例では、チャンネルＣＨ１からＣＨｍ−１まではＡＣコードＣ３のみを簡易アンテナとして用いてオートスキャンが行われる。そして、アンテナケーブルＣ１が接続されると、チャンネルＣＨｍからＣＨｎまでスキャンされた後、最初のチャンネルＣＨ１に戻って、最後のチャンネルＣＨｍ−１までスキャンされることになる。
【００６２】
ＡＣコードＣ３のみでのＣＨ１からＣＨｍ−１までのスキャンでは、選局チャンネルのデジタル放送信号が実際には存在するにも関わらず、デジタル放送信号の受信強度が弱く、同調が不可能となり、チャンネルが登録されない場合がある。そこで、そのようなスキャンのチャンネル範囲については、アンテナケーブルＣ１も接続されて受信強度を強くした状態で再度スキャンを行うことで、登録を逃したチャンネルを登録させることが可能となる。図４の例では、１回目のＣＨ１及びＣＨ３のスキャンでは同調が不可能となっているが、２回目のスキャンによって同調が可能となり、チャンネルが登録されている。
【００６３】
また、本実施形態では、図３に示すステップＳ２で最初に同調が可能となって、ステップＳ３でチャンネルが登録されると、制御部１７は、登録されたチャンネルを選局するよう第２チューナ１２に指示する。すると、第２チューナ１２は指示されたチャンネルの選局を行い、復調後の映像音声信号を信号処理部１３に送る。これにより、映像音声出力部１４から映像音声信号がテレビ装置２へ送られ、テレビ装置２にて映像が表示されて音声が発生する。
【００６４】
従って、ユーザにとっては、ＡＣコードＣ３をコンセントに接続すると、オートスキャンが完了する前でも放送の映像音声を視聴することが可能となる。よって、ユーザによりＨＤＤレコーダ１が故障していると誤解されることを抑止できる。
【００６５】
また、図３に示す処理では、ステップＳ４で受信レベルは閾値以上とならないまま、全チャンネルが選局された場合（ステップＳ５のＹ）、ステップＳ７で警告表示される。このような現象が生じるのは、アンテナケーブルＣ１を接続端子Ｔ１に接続しないまま放置した場合か、又は接続はしたがアンテナケーブルＣ１等に不具合がある場合となる。そこで、ステップＳ７での警告表示の一例として図５のように表示し、ユーザに対応を促すことができる。
【００６６】
なお、本実施形態の変形例として、ステップＳ２又はステップＳ１０で同調可能となってステップＳ３又はステップＳ１１でチャンネルが登録されるたびに、制御部１７が登録されたチャンネルにリモコン装置４のキー番号であるリモコン番号を割り当て、割り当てられたリモコン番号を逐次テレビ装置２に表示させてもよい。例えば、図６に示すような画面を表示すればよい。
【００６７】
この場合、画面を見たユーザがリモコン装置４においてリモコン番号のキーを押下げると、制御部１７は、対応する登録チャンネルを選局するよう第２チューナ１２に指示する。指示を受けて選局を行った第２チューナ１２が映像音声信号を信号処理部１３へ出力することで、テレビ装置２に映像が表示され音声が発生する。これにより、ユーザは、オートスキャンが完了する前に種々の放送の映像音声を視聴することが可能となる。
【００６８】
また、本実施形態の別の変形例として、アンテナケーブルＣ１が接続端子Ｔ１に接続されるとオンとなるスイッチを設け、図３に示す処理におけるステップＳ４において、当該スイッチがオンとなっているか否かを判定し、オンとなっている場合にステップＳ８に進むようにしてもよい。この場合、ステップＳ８において、最後のチャンネルとしては現在のチャンネルに設定してもよい。但し、先述したステップＳ４で受信レベルを閾値と比較する実施形態のほうが上記スイッチは不要となるので、コスト的に有利となる。
【００６９】
＜第２実施形態＞
次に、本発明の第２実施形態について説明する。本実施形態に係るＨＤＤレコーダの構成自体は図１に示すＨＤＤレコーダ１と同様となる。本実施形態では、オートスキャンの処理が第１実施形態と異なっている。本実施形態に係るオートスキャン処理に関するフローチャートを図７に示す。
【００７０】
図７におけるステップＳ２１〜Ｓ２８については、第１実施形態に係る図３におけるステップＳ１〜Ｓ８と同様である。ステップＳ２８の後、ステップＳ２９に進む。
【００７１】
ステップＳ２９で、制御部１７は、次のチャンネルは登録済であるか否かを判定する。もし登録されていない場合は（ステップＳ２９のＮ）、ステップＳ３０に進み、制御部１７は、当該次のチャンネルを選局するよう第１チューナ１１に指示する。すると、第１チューナ１１は、指示されたチャンネルの選局を行い、同調が可能であるか否かを示す信号を制御部１７へ送り、制御部１７は同調が可能か否かを判定する（ステップＳ３１）。
【００７２】
もし同調が可能であると判定した場合は（ステップＳ３１のＹ）、ステップＳ３２に進み、制御部１７は、選局を行ったチャンネルを記憶部（不図示）に登録し、ステップＳ３３に進む。一方、同調が不可能である場合は（ステップＳ３１のＮ）、そのままステップＳ３３に進む。
【００７３】
ステップＳ３３で、制御部１７は、ステップＳ２８で設定された最後のチャンネルを選局済であるか否かを判定し、もし選局済でない場合は（ステップＳ３３のＮ）、ステップＳ２９に戻り、選局済である場合は（ステップＳ３３のＹ）、処理は完了する（エンド）。なお、探索するチャンネル範囲の最後のチャンネル（ステップＳ２８で設定された最後のチャンネルとは異なる）まで選局した場合は、ステップＳ２９では、最初のチャンネルに戻って選局することとなる。
【００７４】
また、ステップＳ２９で、次のチャンネルが登録済の場合は（ステップＳ２９のＹ）、ステップＳ３４に進み、制御部１７は、当該次のチャンネルはステップＳ２８で設定された最後のチャンネルであるか否かを判定する。もし最後のチャンネルでない場合は（ステップＳ３４のＮ）、ステップＳ２９に戻り、最後のチャンネルである場合は（ステップＳ３４のＹ）、処理は完了となる（エンド）。
【００７５】
図７に示す処理について、先述した図４の例を用いてより具体的に説明する。図４におけるチャンネルＣＨｍの選局でアンテナケーブルＣ１の接続によって受信レベルが閾値以上となり（ステップＳ２４のＹ）、ステップＳ２８で、最後のチャンネルとして現在のチャンネルＣＨｍより一つ前のチャンネルＣＨｍ−１に設定される。
【００７６】
そして、次のチャンネルであるチャンネルＣＨｍ＋１については未だ登録済ではないので（ステップＳ２９のＮ）、チャンネルＣＨｍ＋１を選局され、同調が可能であったので、チャンネルＣＨｍ＋１が登録される（ステップＳ３２）。そして、ステップＳ２９に戻り、以降、チャンネルＣＨｎまでのチャンネルは登録済でないので、選局が行われる。
【００７７】
そして、チャンネルＣＨｎの次のチャンネルであるＣＨ１については登録済でないので（ステップＳ２９のＮ）、ステップＳ３０に進んで選局が行われる。以降、チャンネルＣＨ２、ＣＨ３は登録済ではないので、選局が行われる。
【００７８】
そして、チャンネルＣＨ４は登録済であるので（ステップＳ２９のＹ）、ステップＳ３４に進み、ＣＨ４は最後のチャンネルＣＨｍ−１ではないので（ステップＳ３４のＮ）、ステップＳ２９に戻る。
【００７９】
以降処理が進み、チャンネルＣＨｍ−１は登録済でないので、選局が行われ（ステップＳ３０）、ＣＨｍ−１は最後のチャンネルであるので（ステップＳ３３のＹ）、処理が完了する（エンド）。
【００８０】
以上のように、アンテナケーブルＣ１を接続端子Ｔ１に接続しておらず、ＡＣコードＣ３のみを簡易アンテナとして用いてスキャンを行ったチャンネルＣＨ１からＣＨｍ−１については、２回目のスキャンにおいて登録済でないチャンネルのみについて選局を行う。登録済のチャンネル（ＣＨ４など）については、ＡＣコードＣ３のみを用いた弱い受信強度でも同調しているため、再度アンテナ３も用いた強い受信強度では同調することは予測されるから、選局は行わない。従って、選局を行わない分、オートスキャンの処理時間を短縮することが可能となる。
【００８１】
＜第３実施形態＞
次に、本発明の第３実施形態について説明する。本実施形態に係るＨＤＤレコーダの構成自体は図１に示すＨＤＤレコーダ１と同様となる。本実施形態では、オートスキャンの処理が第１、第２実施形態と異なっている。本実施形態に係るオートスキャン処理に関するフローチャートを図８に示す。
【００８２】
図８に示す処理におけるステップＳ４１〜Ｓ４７については、図３（第１実施形態）に示すステップＳ１〜Ｓ７と同様である。なお、ステップＳ４４では、閾値として第１閾値と呼称する。
【００８３】
ここで、ステップＳ４３で、チャンネルを登録する際に、制御部１７は、受信レベルも記憶部（不図示）に対応して記憶しておく。そして、ステップＳ４４の後、ステップＳ４８で、制御部１７は、現在のチャンネルより前の登録済チャンネルの受信レベルに基づき受信レベル評価値を算出し、受信レベル評価値を第２閾値と比較する。受信レベル評価値は、例えば登録済チャンネルの受信レベルの平均値、最大値などとする。
【００８４】
もし受信レベル評価値が第２閾値以上である場合は（ステップＳ４８のＹ）、ステップＳ４９に進み、制御部１７は、最後のチャンネルとして探索するチャンネル範囲の最後のチャンネルに設定する。一方、受信レベル評価値が第２閾値より低い場合は（ステップＳ４８のＮ）、ステップＳ５０に進み、制御部１７は、最後のチャンネルとして現在のチャンネルより一つ前のチャンネルに設定する。
【００８５】
ステップＳ４９又はステップＳ５０の後、ステップＳ５１に進む。ステップＳ５１で、制御部１７は、次のチャンネルを選局するよう第１チューナ１１に指示する。すると、第１チューナ１１は、指示されたチャンネルの選局を行い、同調が可能であるか否かを示す信号を制御部１７へ送り、制御部１７は同調が可能か否かを判定する（ステップＳ５２）。
【００８６】
もし同調が可能であると判定した場合は（ステップＳ５２のＹ）、ステップＳ５３に進み、制御部１７は、選局を行ったチャンネルを記憶部（不図示）に登録し、ステップＳ５４に進む。一方、同調が不可能である場合は（ステップＳ５２のＮ）、そのままステップＳ５４に進む。
【００８７】
ステップＳ５４で、制御部１７は、ステップＳ４９又はステップＳ５０で設定された最後のチャンネルを選局済であるか否かを判定し、もし選局済でない場合は（ステップＳ５４のＮ）、ステップＳ５１に戻り、選局済である場合は（ステップＳ５４のＹ）、処理は完了する（エンド）。なお、ステップＳ５０により最後のチャンネルが設定された場合は、探索するチャンネル範囲の最後のチャンネルまで選局したときに、ステップＳ５１では、最初のチャンネルに戻って選局することとなる。
【００８８】
上記のような図８に示す処理について、図４に示す例を用いて説明すると、図４におけるチャンネルＣＨｍの選局でアンテナケーブルＣ１の接続によって受信レベルが第１閾値以上となり（ステップＳ４４のＹ）、ステップＳ４８に進む。
【００８９】
ステップＳ４８で、現在のチャンネルＣＨｍより前の登録済チャンネル（ＣＨ４など）の受信レベルに基づき受信レベル評価値を算出する。
【００９０】
受信レベル評価値が第２閾値より低い場合は、現在のチャンネルより前のチャンネルについてのスキャンで、実際には放送信号が存在するにも関わらず、ＡＣコードＣ３に重畳された放送信号の強度が弱いために同調できずに登録を逃した可能性があると推測される。そこで、ステップＳ４９で、最後のチャンネルとして現在のチャンネルより一つ前のチャンネルＣＨｍ−１に設定することで、以降の処理にてＣＨ１からＣＨｍ−１までのチャンネルについてアンテナ３も用いて再度スキャンを行う。これにより、登録を逃したチャンネルを登録させることが可能となる。
【００９１】
一方、受信レベル評価値が第２閾値以上の場合は、ＡＣコード３に重畳された放送信号の強度は強いため、現在のチャンネルより前のチャンネルについてのスキャンは信頼性が高いと推測される。そこで、ステップＳ５０で、最後のチャンネルとして探索するチャンネル範囲の最後のチャンネルＣＨｎに設定することで、以降の処理にて探索するチャンネル範囲の最後のチャンネルＣＨｎまでをスキャンし、ＣＨ１からＣＨｍ−１までのチャンネルについての再スキャンは行わない。従って、この場合はオートスキャンの処理時間を短縮化できる。
【００９２】
以上、本発明の実施形態について説明したが、本発明の趣旨の範囲内であれば、実施形態は種々変形が可能である。
【００９３】
例えば、本発明に係る放送受信装置は、以上で説明したＨＤＤレコーダ以外にも、テレビ装置、セットトップボックスなどにも適用可能である。
【符号の説明】
【００９４】
１  ＨＤＤレコーダ
２  テレビ装置
３  アンテナ
４  リモコン装置
１１  第１チューナ
１２  第２チューナ
１３  信号処理部
１４  映像音声出力部
１５  ＯＳＤ部
１６  ＨＤＤ記録再生部
１７  制御部
１８  電源部
１８Ａ  ＨＰＦ（ハイパスフィルタ）
１９  リモコン受光部
２０  混合部
Ｃ１  アンテナケーブル
Ｃ２  映像音声ケーブル
Ｃ３  ＡＣコード
Ｔ１、Ｔ２  接続端子
【図１】
2015035651.tif 000003
【図２】
2015035651.tif 000004
【図３】
2015035651.tif 000005
【図４】
2015035651.tif 000006
【図５】
2015035651.tif 000007
【図６】
2015035651.tif 000008
【図７】
2015035651.tif 000009
【図８】
2015035651.tif 000010